(57)【特許請求の範囲】
【請求項１】
システムメッセージの更新方法であって、基地局に適用し、
セルの確立、またはシステム情報の更新を発生する場合、システムに設定される修正期間が閾値を超えたか否かを検査することと、
システムに設定される修正期間が閾値を超えた場合、補正後の修正期間が前記閾値を超えないように前記修正期間を補正することと、
を含み、
前記閾値は１０２４個の無線フレームであり、
システムに設定される修正期間が閾値を超えた場合、補正後の修正期間が前記閾値を超えないように前記修正期間を補正することは、
システムに設定されるページング周期が１２８個の無線フレームで、かつ修正期間係数が１６である場合、前記修正期間係数を８に下げること、または
システムに設定されるページング周期が２５６個の無線フレームで、かつ修正期間係数が８である場合、前記修正期間係数を４に下げること、または、
システムに設定されるページング周期が２５６個の無線フレームで、かつ修正期間係数が１６である場合、前記修正期間係数を４に下げることを含む、前記方法。
【請求項２】
補正後の修正期間が前記閾値を超えないように前記修正期間を補正することは、
システムに設定される修正期間係数を下げることによって、補正後の修正期間が前記閾値を超えないように前記修正期間を補正することを含む
請求項１に記載の方法。
【請求項３】
システムメッセージの更新システムであって、基地局に適用し、
セルの確立、またはシステム情報の更新を発生する場合、システムに設定される修正期間が閾値を超えたか否かを検査し、前記閾値を超えた場合、補正モジュールに通知するように構成される検証モジュールと、
検証モジュールの通知を受信した後、補正後の修正期間が前記閾値を超えないようにシステムに設定される修正期間を補正するように構成される補正モジュールと、を含み、
前記閾値は１０２４個の無線フレームであり、
前記検証モジュールは、
システムに設定されるページング周期が１２８個の無線フレームで、かつ修正期間係数が１６であることを検出した場合、または、システムに設定されるページング周期が２５６個の無線フレームで、かつ修正期間係数が８であることを検出した場合、または、システムに設定されるページング周期が２５６個の無線フレームで、かつ修正期間係数が１６
であることを検出した場合、前記補正モジュールに通知するように構成され、
前記補正モジュールは、
システムに設定されるページング周期が１２８個の無線フレームで、かつ修正期間係数が１６である場合、前記修正期間係数を８に下げる、または、
システムに設定されるページング周期が２５６個の無線フレームで、かつ修正期間係数が８である場合、前記修正期間係数を４に下げる、または、
システムに設定されるページング周期が２５６個の無線フレームで、かつ修正期間係数が１６である場合、前記修正期間係数を４に下げるように構成される、前記システム。
【請求項４】
前記補正モジュールは、システムに設定される修正期間係数を下げることによって、補正後の修正期間が前記閾値を超えないように前記修正期間を補正するように構成される
請求項３に記載のシステム。
【請求項５】
コンピュータ読み取り可能な記憶媒体であって、
請求項１〜２のいずれか１項に記載の方法を実行するためのコンピュータ実行可能な命令を記憶する、前記コンピュータ読み取り可能な記憶媒体。
【発明の詳細な説明】
【技術分野】
【０００１】
本発明は無線通信ネットワーク技術分野に関し、特にシステムメッセージの更新方法及びシステムに関する。
【背景技術】
【０００２】
システム情報のブロードキャストは、ＬＴＥ（Ｌｏｎｇ  Ｔｅｒｍ  Ｅｖｏｌｕｔｉｏｎ：ロング・ターム・エボリューション）通信システムの一つの重要な機能であり、システム情報の生成、スケジュール及び更新などを含む。Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ：発展型ユニバーサル地上波無線アクセスネットワーク）のシステムメッセージをセル内のＵＥ（Ｕｓｅｒ  Ｅｑｕｉｐｍｅｎｔ：ユーザ装置）にブロードキャストを行うことで、ＵＥが十分のアクセス情報とネットワークを取得し、無線接続を確立する。
【０００３】
システムメッセージは常に変わらないわけではなく、ＵＥ側から見ると、システムメッセージが長時間に変わらない場合、ＵＥは改めてシステムメッセージの受信を試み、ネットワーク側のシステムメッセージが変わる場合、ネットワーク側はＵＥにシステムメッセージの更新を通知する必要がある。アイドル（ＩＤＬＥ）状態と接続（ＣＯＮＮＥＣＴＥＤ）状態にあるＵＥに対して、ともにページングを通じて、システム情報が変更され再取得する必要があることを通知することができる。
【０００４】
しかし、ＬＴＥプロトコル規約によると、ＥＴＷＳ（地震・津波警報システム）及びＣＭＡＳ（商用移動警報システム）警報メッセージを除き、システムメッセージは随時に変更可能ではなく、即ち、ブロードキャストの変更は特定の時刻に発生する必要があって、そのため、修正期間（ｍｏｄｉｆｉｃａｔｉｏｎ  Ｐｅｒｉｏｄ）の概念が導入される。
【０００５】
ＬＴＥプロトコル規約によると、修正期間（ｍｏｄｉｆｉｃａｔｉｏｎ  Ｐｅｒｉｏｄ）＝ページング周期（ｄｅｆａｕｌｔ  Ｐａｇｉｎｇ  Ｃｙｃｌｅ）×修正期間係数（ｍｏｄｉｆｉｃａｔｉｏｎ  Ｐｅｒｉｏｄ  Ｃｏｅｆ）であり、その中のページング周期と修正期間係数は、システム情報ブロックＳＩＢ２でＵＥを通知する。即ち、ＵＥは１つのページング周期の間隔毎に、１回にページングを受信し、従って、１つの修正期間内に、ＵＥは最大「修正期間係数」回のページングを受信する。そのため、修正期間係数の導入は、通信電波が弱い時のページングメッセージのロスによって、ＵＥが基地局で発生しようとするシステムメッセージの変更がわからないことを防ぐためである。
【０００６】
図１に示すように、仮に、１つの修正期間（ＢＣＣＨ  ｍｏｄｉｆｉｃａｔｉｏｎ  ｐｅｒｉｏｄ）内において、例えば、修正期間ｎ内でシステム情報の変更が発生し、この時にシステムは即時に改めて新しいシステム情報のブロードキャストを送信せず、該修正期間ｎ内で、ページングメッセージを送信して、セル内のすべてのＵＥにシステム情報のブロードキャストの変更が発生したことを通知する。次の修正期間（修正期間ｎ＋１）の開始時に、システムは新しいシステム情報のブロードキャストを送信する。
【０００７】
各修正期間において、システム情報が変更されるか否かを判断するために、ＵＥはページングメッセージをリッスンする（各修正期間において、最大「修正期間係数」回にリッスンする）。システム情報のブロードキャストを正確に受信するため、ＵＥはシステム情報の変更を発見した場合、隣接の２つの修正期間の境界を識別し、新たな修正期間の開始時に、新しいシステム情報の受信を開始しなければならない。
【０００８】
ＬＴＥ規約によると、システムフレーム番号範囲は「０〜１０２３」であり、１つのフレームは１０ｍｓであり、１つのフレームは１０個の無線サブフレームを含み、即ち、１０２４×１０ｍｓを経過するたびに、システムフレーム番号は１０２３から０へ繰り返す。一方で、ＬＥＴ規約によると、システムが設定できるページング周期は３２、６４、１２８、２５６であり、単位は１つの無線フレームであり、即ち１０ｍｓである。システムが設定できる修正期間係数は２、４、８、１６である。それに基づいて、修正期間で設定可能の最大値が２５６×１６＝４０９６個の無線フレームであることを算出することができ、１０２４個の無線フレームの時間即ちシステムフレーム番号の繰り返しを発生する時間を超え、これより、ＵＥは、基地局の隣接の２つの修正期間の境界を正確に識別することができなく、さらにシステム情報を正確に更新することができない。原因としては、ＵＥはネットワークへのアクセス時間を起点として修正期間を計算するしかなく、この起点が基地局の修正期間の起点と限らないため、基地局の修正期間の境界を正確に発見することができない。
【０００９】
図２に示すように、ネットワーク側において、基地局が第ｎ個の修正期間内のＡ０時刻にシステム情報の更新が発生し、その後、該修正期間内で、ページングメッセージを送信して、セル内の全ＵＥにシステム情報のブロードキャストが変更されたことを通知し、基地局が認識している次の修正期間（第ｎ＋１個の修正期間）の開始時（Ａ１時刻）に新しいシステム情報を送信する。端末側において、端末は第ｎ個の修正期間内のｔ１時刻にアクセスし、ページングメッセージを受信することにより、システム情報の更新が分かった後に、端末が認識している次の修正期間（第ｎ＋１個の修正期間）の開始時（Ａ２時刻）に新しいシステム情報を受信して保存する。端末の認識している次の修正期間の開始時（Ａ２時刻）、と基地局の認識している次の修正期間の開始時（Ａ１時刻）が異なる可能性があるため、Ａ１時刻からＡ２時刻までの間に、端末が一種のエラー状態にあり、端末はプロトコル規約に従って基地局の修正期間の境界で新しいシステム情報を受信していない。
【００１０】
これはＬＴＥの修正期間規約に関する欠陥でもあり、ＵＥが正確にシステム情報の更新ができないことを招く。
【発明の概要】
【００１１】
本発明は、システムメッセージの更新方法及びシステムを提供し、端末に隣接の２つの修正期間の境界を正確に識別させ、端末が正確な周期の境界で更新後のシステム情報の受信ができることを保証する。
【００１２】
システムメッセージの更新方法であって、基地局に適用し、該方法は、
セルの確立、またはシステム情報の更新を発生する場合、システムに設定される修正期間が閾値を超えたか否かを検査することと、
システムに設定される修正期間が閾値を超えた場合、補正後の修正期間が前記閾値を超えないように前記修正期間を補正することと、
を含む。
【００１３】
選択肢として、該方法はさらに下記の特徴を含む。
【００１４】
補正後の修正期間が前記閾値を超えないように前記修正期間を補正することは、
システムに設定される修正期間係数を下げることによって、補正後の修正期間が前記閾値を超えないように前記修正期間を補正することを含む。
【００１５】
選択肢として、該方法はさらに、
前記閾値は１０２４個の無線フレームであることを含む。
【００１６】
選択肢として、該方法はさらに下記の特徴を含む。
【００１７】
システムに設定される修正期間が閾値を超えた場合、補正後の修正期間が前記閾値を超えないように前記修正期間を補正することは、
システムに設定されるページング周期が１２８個の無線フレームで、かつ修正期間係数が１６である場合、前記修正期間係数を８に下げること、または
システムに設定されるページング周期が２５６個の無線フレームで、かつ修正期間係数が８である場合、前記修正期間係数を４に下げること、または、
システムに設定されるページング周期が２５６個の無線フレームで、かつ修正期間係数が１６である場合、前記修正期間係数を４に下げることを含む。
【００１８】
システムメッセージの更新システムであって、基地局に適用し、
セルの確立、またはシステム情報の更新を発生する場合、システムに設定される修正期間が閾値を超えたか否かを検査し、前記閾値を超えた場合、補正モジュールに通知するように構成される検証モジュールと、
検証モジュールの通知を受信した後、補正後の修正期間が前記閾値を超えないようにシステムに設定される修正期間を補正するように構成される補正モジュールと、を含む。
【００１９】
選択肢として、該システムは、さらに、
補正モジュールは、システムに設定される修正期間係数を下げることによって、補正後の修正期間が前記閾値を超えないように前記修正期間を補正する前記修正期間を補正するように構成される。
【００２０】
選択肢として、該システムは、さらに、
前記閾値は１０２４個の無線フレームであることを含む。
【００２１】
選択肢として、該システムは、さらに下記の特徴を含む。
【００２２】
前記検証モジュールは、
システムに設定されるページング周期が１２８個の無線フレームで、かつ修正期間係数が１６であることを検出した場合、または、システムに設定されるページング周期が２５６個の無線フレームで、かつ修正期間係数が８であることを検出した場合、または、システムに設定されるページング周期が２５６個の無線フレームで、かつ修正期間係数が１６であることを検出した場合、前記補正モジュールに通知するように構成される。
【００２３】
前記補正モジュールは、
システムに設定されるページング周期が１２８個の無線フレームで、かつ修正期間係数が１６である場合、前記修正期間係数を８に下げる、または、
システムに設定されるページング周期が２５６個の無線フレームで、かつ修正期間係数が８である場合、前記修正期間係数を４に下げる、または、
システムに設定されるページング周期が２５６個の無線フレームで、かつ修正期間係数が１６である場合、前記修正期間係数を４に下げるように構成される。
【００２４】
コンピュータ読み取り可能な記憶媒体であって、上記のいずれか１項に記載の方法を実行するためのコンピュータ実行可能な命令を記憶する。
【００２５】
従来技術と比較し、本発明はシステムメッセージの更新方法及びシステムを提供し、システムに設定された修正期間の上限を制限することによって、１つの修正期間内において、システムフレーム番号の繰り返しを避け、端末に隣接の２つの修正期間の境界を正確に識別させ、端末が正確な修正期間の境界で更新後のシステム情報の受信ができることを保証する。
【図面の簡単な説明】
【００２６】
【図１】従来技術において基地局がシステム情報のブロードキャストを送信することを示す図である。
【図２】従来技術におけるシステムメッセージ更新を示す図である。
【図３】本発明の実施例のシステムメッセージの更新方法のフローチャートである。
【図４】本発明の実施例のシステムメッセージ更新システムの構成図である。
【発明を実施するための形態】
【００２７】
下記に、図面と結びつけて本発明の実施例に対して詳細まで説明する。なお、矛盾ではない限り、本発明の実施例及び実施例の中の特徴を互いに任意に組み合わせることが可能である。
【００２８】
図３に示すように、本発明の実施例はシステムメッセージの更新方法を提供し、基地局に適用し、該方法は以下のステップを含む。
【００２９】
Ｓ１０において、セルの確立、またはシステム情報の更新を発生する場合、システムに設定される修正期間が閾値を超えたか否かを検査する。
【００３０】
Ｓ２０において、システムに設定される修正期間が閾値を超えた場合、前記閾値を超えないように前記修正期間を補正する。
【００３１】
ここで、前記閾値を超えないように前記修正期間を補正することは、システムに設定される修正期間係数を下げることによって、補正後の修正期間が前記閾値を超えないように前記修正期間を補正することを含む。
【００３２】
ここで、前記閾値は１０２４個の無線フレームである。
【００３３】
ここで、修正期間はページング周期と修正期間係数との乗算結果であり、システムに設定されるページング周期は、３２個の無線フレーム、６４個の無線フレーム、１２８個の無線フレーム、または２５６個の無線フレームであり、システムに設定される修正期間係数は、２、４、８または１６である。
【００３４】
システムに設定される修正期間が閾値を超えた場合、前記閾値を超えないように前記修正期間を補正することは、
システムに設定されるページング周期が１２８個の無線フレームで、かつ修正期間係数が１６である場合、前記修正期間係数を８に下げること、または
システムに設定されるページング周期が２５６個の無線フレームで、かつ修正期間係数が８である場合、前記修正期間係数を４に下げること、または、
システムに設定されるページング周期が２５６個の無線フレームで、かつ修正期間係数が１６である場合、前記修正期間係数を４に下げることを含む。
【００３５】
図４に示すように、本発明の実施例はシステムメッセージの更新システムを提供し、基地局に適用し、該システムは、
セルの確立、またはシステム情報の更新を発生する場合、システムに設定される修正期間が閾値を超えたか否かを検査し、前記閾値を超えた場合、補正モジュール２２に通知するように構成される検証モジュール２１と、
検証モジュール２１の通知を受信した後、前記閾値を超えないようにシステムに設定される修正期間を補正するように構成される補正モジュール２２と、を含む。
【００３６】
ここで、補正モジュール２２は、システムに設定される修正期間係数を下げることによって、補正後の修正期間が前記閾値を超えないように前記修正期間を補正するように構成される。
【００３７】
ここで、前記閾値は１０２４個の無線フレームである。
【００３８】
ここで、修正期間はページング周期と修正期間係数との乗算結果であり、システムに設定されるページング周期は、３２個の無線フレーム、６４個の無線フレーム、１２８個の無線フレーム、または２５６個の無線フレームであり、システムに設定される修正期間係数は、２、４、８または１６である。
【００３９】
ここで、検証モジュール２１は、システムに設定されるページング周期が１２８個の無線フレームで、かつ修正期間係数が１６である場合、または、システムに設定されるページング周期が２５６個の無線フレームで、かつ修正期間係数が８である場合、または、システムに設定されるページング周期が２５６個の無線フレームで、かつ修正期間係数が１６である場合、前記補正モジュール２２を通知するように構成される。
【００４０】
ここで、補正モジュール２２は、
システムに設定されるページング周期が１２８個の無線フレームで、かつ修正期間係数が１６である場合、前記修正期間係数を８に下げる、または、
システムに設定されるページング周期が２５６個の無線フレームで、かつ修正期間係数が８である場合、前記修正期間係数を４に下げる、または、
システムに設定されるページング周期が２５６個の無線フレームで、かつ修正期間係数が１６である場合、前記修正期間係数を４に下げるように構成される。
【００４１】
以下、本発明実施例の方法とシステムを詳細まで説明する。
【００４２】
ＬＴＥ規約によると、システムが設定できるページング周期は３２、６４、１２８または２５６であり、単位は１つの無線フレームであり、即ち１０ｍｓである。システムが設定できる修正期間係数は２、４、８、１６である。
【００４３】
上記により得られる修正期間の設定状況は表１に示し、単位は１つの無線フレームであり、即ち、１０ｍｓである。
【００４４】
【表１】
0006392452.tif 000002
【００４５】
本実施例の方法は、ページング周期×修正期間係数＜＝１０２４個の無線フレームを要求し、そのため、設定可能なページング周期、修正期間係数、及びそれによって得られる修正期間は表２に示す。
【００４６】
【表２】
0006392452.tif 000003
【００４７】
表３に示すように、ＬＴＥ規約の設定と比較し、本実施例の方法によって補正された修正期間は下記の３種の状況が無くなる。
【００４８】
【表３】
0006392452.tif 000004
【００４９】
上記３種の設定を無効にすることを保証するため、基地局には、修正期間の検証モジュールと補正モジュールを追加する必要があり、セルの確立、またはシステム情報の更新を発生する場合、検証モジュールは、ページング周期と修正期間係数によって確定された修正期間が１０２４個のフレームを超えるか否かを検査し、１０２４個のフレームを超えた場合、検証モジュールは、システムに設定される修正期間が閾値を超えたことを補正モジュールに通知し、補正モジュールは修正期間係数を下げることで、修正期間が１０２４個のフレームを超えないことを保証する。
【００５０】
システムに設定されるページング周期（ｄｅｆａｕｌｔ  Ｐａｇｉｎｇ  Ｃｙｃｌｅ）＝１２８と修正期間係数（ｍｏｄｉｆｉｃａｔｉｏｎ  Ｐｅｒｉｏｄ  Ｃｏｅｆ）＝１６である場合、検証モジュールは修正期間が通らないことを検出し、補正モジュールを通知する。補正モジュールは修正期間係数（ｍｏｄｉｆｉｃａｔｉｏｎ  Ｐｅｒｉｏｄ  Ｃｏｅｆ）を８に下げて、それによって修正期間が１０２４個の無線フレームであることを確保する。
【００５１】
システムに設定されるページング周期（ｄｅｆａｕｌｔ  Ｐａｇｉｎｇ  Ｃｙｃｌｅ）＝２５６と修正期間係数（ｍｏｄｉｆｉｃａｔｉｏｎ  Ｐｅｒｉｏｄ  Ｃｏｅｆ）＝８である場合、検証モジュールは修正期間が通らないことを検出し、補正モジュールを通知する。補正モジュールは修正期間係数（ｍｏｄｉｆｉｃａｔｉｏｎ  Ｐｅｒｉｏｄ  Ｃｏｅｆ）を４に下げて、それによって修正期間が１０２４個の無線フレームであることを確保する。
【００５２】
システムに設定されるページング周期（ｄｅｆａｕｌｔ  Ｐａｇｉｎｇ  Ｃｙｃｌｅ）＝２５６と修正期間係数（ｍｏｄｉｆｉｃａｔｉｏｎ  Ｐｅｒｉｏｄ  Ｃｏｅｆ）＝１６である場合、検証モジュールは修正期間が通らないことを検出し、補正モジュールを通知する。補正モジュールは修正期間係数（ｍｏｄｉｆｉｃａｔｉｏｎ  Ｐｅｒｉｏｄ  Ｃｏｅｆ）を４に下げて、それによって修正期間が１０２４個の無線フレームであることを確保する。
【００５３】
当業者は、上記の実施例のすべてまたは一部のステップがコンピュータプログラムフローを用いて実現できることを理解することができ、前記コンピュータプログラムはコンピュータ読み取り可能な記憶媒体に記憶することが可能であり、前記コンピュータプログラムは、対応するハードウェアプラットフォーム（例えば、システム、設備、装置、パーツなど）で実行され、実行する場合、実施例の方法の一つのステップまたはその組み合わせを含む。
【００５４】
選択肢として、上記の実施例のすべてまたは一部のステップは、集積回路を用いて実現することも可能であり、これらのステップは個々の集積回路モジュールをそれぞれに作成されても良く、またはこれらの中の複数のモジュールまたはステップから単一の集積回路モジュールを作成することにより実現しても良い。
【００５５】
上記の実施例の中の装置／機能モジュール／機能ユニットは、汎用計算装置を用いて実現することが可能であり、これらを単一の計算装置に集中しても、複数の計算装置で構成するネットワーク上に配置されても良い。
【００５６】
上記の実施例の中の装置／機能モジュール／機能ユニットは、ソフトウェア機能モジュールの形式で実現され、独立の製品として販売または使用をする場合、ひとつのコンピュータ読み取り可能な記憶媒体に記憶することが可能である。上記に記載されているコンピュータ読み取り可能な記憶媒体は、読み取り専用の記憶媒体、ディスク、光記憶装置などでも良い。
【産業上の利用可能性】
【００５７】
本発明はシステムメッセージの更新方法及びシステムを提供し、システムに設定された修正期間の上限を制限することによって、１つの修正期間内において、システムフレーム番号の繰り返しを避け、端末に隣接の２つの修正期間の境界を正確に識別させ、端末が正確な修正期間の境界で更新後のシステム情報の受信ができることを保証する。
【図１】
0006392452.tif 000005
【図２】
0006392452.tif 000006
【図３】
0006392452.tif 000007
【図４】
0006392452.tif 000008